(57)【要約】【課題】  蓋板から水滴が速やかに落とすことができ、衛生的に平面上に載置でき、平面上での載置時でもつまみ部により操作が容易であり、かつ、平面上での載置時に要する面積がより小さい新たな蓋体を提供する。【解決手段】  容器本体３の開口を閉塞する蓋板１１と、該蓋板１１の上面上の周縁Ｓ近傍に突設された突設部１３と、を備え、前記蓋板１１の周縁Ｓ及び突設部１３により支持されることにより、該蓋板１１を略鉛直状に起立して所定の平面Ｂ上に載置可能とされてなる。【選択図】  図３
2008007177.tif 000002
【特許請求の範囲】
【請求項１】
容器本体の開口を閉塞する蓋板と、該蓋板の上面上の周縁近傍に突設された突設部と、を備え、前記蓋板の周縁及び突設部により支持されることにより、該蓋板を略鉛直状に起立して所定の平面上に載置可能とされてなることを特徴とする蓋体。
【請求項２】
上記蓋板を略鉛直状に起立して所定の平面上に載置した際には、上記突設部は少なくとも２の凸状部，１の直線又は１の面により所定の平面と接することを特徴とする請求項１記載の蓋体。
【請求項３】
上記突設部は、自然物を模した形状とされてなることを特徴とする請求項１又は２記載の蓋体。
【請求項４】
上記蓋体は、急須の蓋体として用いられることを特徴とする請求項１，２又は３記載の何れかの蓋体。
【発明の詳細な説明】
【技術分野】
【０００１】
本発明は、容器、特に、内部に液体等を入れて用いられる飲食用容器又は調理用容器の開口を閉塞するために用いられる蓋体に関するものである。
【背景技術】
【０００２】
従来より、特に急須や湯呑み等の飲食用容器や鍋や薬缶等の調理用容器は、飲食物等の内容物が入れられる容器本体と、該容器本体の開口を閉塞する蓋体とが一組とされて使用されることが多い。これは、上記容器本体内の内容物の温度の低下を防いで保温し、或いは、上記内容物への加熱を効率的にするためである。そして、上記容器本体内に上記内容物を出し入れし、又は調理する際には、上記蓋体は該容器本体から取り除かれる。このように上記容器本体から取り除かれた上記蓋体は、所定の平面上に載置されるが、該蓋体の下面が該所定の平面と直接接することは不衛生で望ましくないため、使用者は該蓋体を該所定の平面上には下面を上方に向けた状態（裏返した状態）で載置することが多い。なお、上記蓋体は、該蓋板の上面上につまみ部が突設された構成とされ、使用者が該蓋体を動かす際には、該つまみ部を用いることが多い。また、上記蓋体及び容器本体とが一組とされて用いられるものは、上記のような飲食用容器や調理用容器等に限られず様々なものに用いられるが、ここでは省略する。
【発明の開示】
【発明が解決しようとする課題】
【０００３】
しかしながら、上記のような容器の使用時には、上記容器本体内の上記内容物が加熱されることにより、該内容物から水蒸気が生じ、この水蒸気が液化して水滴となり、該水滴が上記蓋体の下面に付着することが多い。この場合、上記のように使用者が上記蓋体を裏返した状態で上記所定の平面上に載置した場合、上記水滴は該蓋体に付着したまま溜まり、なかなか該蓋体の下面から無くならない。そして、この様に上記蓋体の下面に水滴が付着した場合、再び該蓋体を上記容器本体上に載置した際に、該水滴が該容器本体内に落下することとなり、好ましくない。また、上記蓋体を動かすためのつまみ部は、上記のように該蓋体の上面上に設けられることが多く、このため、該蓋体を裏返した状態で載置した場合には、該つまみ部は上記蓋板よりも下方に位置することとなるため、使用者は該つまみ部をつまみ難くく、使用者が該蓋体を該つまみ部を用いて動かしにくい。また、上記のように裏返した状態で上記蓋体を上記所定の平面上に載置する際には、該蓋体の投影面積とほぼ同じ面積が必要となる。
【０００４】
そこで、本発明は、従来の蓋体が有する課題を解決するために提案されたものであって、蓋板から水滴を速やかに落とすことができ、衛生的に所定の平面上に載置でき、所定の平面上に載置時でもつまみ部により操作が容易であり、かつ、所定の平面上での載置時に要する面積がより小さい新たな蓋体を提供するものである。
【課題を解決するための手段】
【０００５】
本発明は、上記課題を解決するために提案されたものであって、第１の発明（請求項１記載の発明）は、容器本体の開口を閉塞する蓋板と、該蓋板の上面上の周縁近傍に突設された突設部と、を備え、前記蓋板の周縁及び突設部により支持されることにより、該蓋板を略鉛直状に起立して所定の平面上に載置可能とされてなることを特徴とするものである。
【０００６】
この第１の発明に係る蓋体は、少なくとも蓋板と突設部とを備えており、該蓋板の周縁及び突設部により該蓋体は略鉛直状に載置することができるものであって、上記のように容器本体と対になって用いられ、該容器本体に載置されて該容器本体の開口を閉塞する。なお、本発明に係る蓋体及び容器本体としては、飲食用器具または調理用器具として用いられる急須，湯呑み，鍋或いはフライパン等が例として挙げられるが、これらに限定されるものでは無く、一般に容器本体と蓋体とが同時に用いられることが慣用になっているものであればどのような容器でも良く、例えば容器本体としてのバケツと該バケツに用いられる蓋体等であっても良い。また、上記蓋体は、少なくとも上記蓋板と突設部を有するものであれば、その他に通気孔や使用者が該蓋体を動かす際に用いるつまみ部が形成されても良く、また、該つまみ部は該突設部と一体化され、或いは該つまみ部が該突設部と兼用するものでも良い。また、上記蓋板の形状についても限定されることは無く、上記容器本体の開口に合わされた形状であれば良く、円形状，楕円形状或いは方形状等であっても良い。また、上記突設部の形状も任意のものであっても良く、直方体状，球状或いは円柱状等の幾何学的形状であっても良く、また、瓢箪，果実或いは木の葉等の自然物を模したもの等どのような形状であっても良いが、該突設部の蓋板上での位置，高さ及び形状は、少なくとも上記蓋板の周縁と該突設部により該蓋板を略鉛直状に起立して平面上に載置可能とされるものである。
【０００７】
また、第２の発明（請求項２記載の発明）は、第１の発明において、上記蓋板を略鉛直状に起立して平面上に載置した際には、上記突設部は少なくとも２の凸状部，１の直線又は１の面により所定の平面と接することを特徴とするものである。
【０００８】
上記第１の発明では、上記蓋体は上記蓋板の周縁及び上記突設部により支持されて上記平面上に起立するものとされているが、この第２の発明では、特に該突設部について、少なくとも２の凸状部，１の直線又は１の面により該平面と接して蓋体を起立させる。
【０００９】
また、第３の発明（請求項３記載の発明）は、上記第１又は第２の発明において、上記突設部が、自然物を模した形状とされてなることを特徴とするものである。
【００１０】
また、第４の発明（請求項４記載の発明）は、上記第１、第２又は第３の発明において、上記蓋体が、急須の蓋体として用いられることを特徴とするものである。
【００１１】
なお、この第４の発明に係る蓋体は、特に急須に使用される蓋体であるが、容器本体である急須の本体に特に合わせた大きさ及び形状とされた蓋体とされ、該急須の本体と蓋体が一組で販売或いは使用されるものであっても良いが、この発明に係る蓋体のみを購入した者が既存の急須の蓋体の代わりに置き換えられて用いられるように汎用的な大きさ及び形状の蓋体であっても良い。
【発明の効果】
【００１２】
第１の発明（請求項１記載の発明）に係る蓋体は、略鉛直状に起立して所定の平面上に載置できることから、該蓋体を構成する蓋板の下面が該所定の平面上に直接接することが無く、衛生的に用いることができる。そして、このように上記蓋体を略鉛直状に起立して載置することにより、該蓋体の下面に付着した水滴を重力に引かせて該所定の平面上に落下させることができる為、該蓋体を再度容器本体の開口に載置した際にも、該水滴が該容器本体内に入ることが無い。また、上記蓋板を略鉛直状に起立して載置することにより、該蓋体のつまみ部が該蓋板の下方に位置してつまみ難くなることが無くなり、使いやすい。更に、上記蓋体自体を略鉛直状に起立して載置した場合には、該蓋体を裏返した状態で所定の平面上に載置した場合に比べ、載置に際して該所定の平面上に必要な面積は小さいものとなる。
【００１３】
第２の発明（請求項２記載の発明）に係る蓋体は、上記蓋板を略鉛直状に起立して所定の平面上に載置した際に、上記突設部の２の凸状部と該蓋板の周縁との３接地により、又は、該突設部の１の直線と該蓋板の周縁との２接地により、或いは、該突設部の１の面と該蓋板の周縁との２接地により該所定の平面上と接するものとなることから、該蓋板はより安定した状態で起立するものとなる。
【００１４】
第３の発明（請求項３記載の発明）に係る蓋体では、突設部が自然物を模した形状とされてなることから、該突設部は、略鉛直状に起立するためのみに使われるばかりでなく、上記蓋体を飾る装飾品として美感の優れたものとなる。
【００１５】
第４の発明（請求項４記載の発明）に係る蓋体では、急須を上述のような衛生的で使いやすく蓋体を載置するための面積を要しないものとすることができる。特に急須は、接客時に客の目の前で用いることが多いが、本発明に係る蓋体を用いた急須を客の目前で用いた場合には、この客に自分が飲用する飲料の衛生について不安感を抱かせることが無くなる。
【発明を実施するための最良の形態】
【００１６】
以下、本発明の実施の形態に係る蓋体について、図面を参照しながら詳細に説明する。
【００１７】
この発明の実施の形態に係る蓋体１は、図１に示すように、茶を入れる際に用いる容器である急須２の一部を構成するもので、容器本体である急須本体３とともに用いられる。上記蓋体１は、図２に示すように、蓋板１１と、つまみ部１２と、突設部１３とから構成されている。上記蓋板１１は、略円盤状であって、かつ、上面は中心部にかけてやや上方に凸状に膨出する凸レンズ状の曲面とされており、該蓋板１１の上面中心には、使用者がこの蓋体１を動かす際に用いるつまみ部１２が形成されており、また、該蓋板１１の中心より周縁Ｓ側の近傍には、上記突設部１３が形成されており、また、該蓋板１１には、該蓋板１１の上面と下面を貫通して後述する胴部２１内の水蒸気を外部に逃がす通気孔１４が形成されている。上記突設部１３は、図１及び図２に示すように自然物である瓢箪を模した形状とされており、後述するように上記蓋体１を平面上に起立させた際には、該突設部１３の内、図２及び図３に示す仮想の点ａ及びｂの位置する箇所にて該平面上に接する。なお、これら点ａ及びｂは、本発明を構成する凸状部である。また、上記急須本体３は、図１に示すように、内部の茶の葉，湯或いは茶が入る空洞状の胴部２１と、該胴部２１内の茶を湯呑み等に注ぐ注ぎ部２２と、使用者が該急須本体３を動かす際に把持する把持部２３とから構成されている。また、上記急須本体３の上方には、該胴部２１内に茶の葉及び湯を入れる為の開口が形成されており、上記蓋体１が上記開口上に載置されることにより閉塞される。なお、この開口は、図１中の上記蓋体１の直下に位置しており図示は省略する。
【００１８】
次に、茶を入れる場合の上記急須２の使用方法について説明する。上記急須２を使用する使用者は、上記つまみ部１２をつまんで上記急須本体３上に載置された上記蓋体１を該急須本体３より取り除き、該急須本体３の上記胴部２１内に茶の葉及び湯を入れる。この場合、上記急須本体３より取り除かれた上記蓋体１は、図３に示すように略鉛直状に起立してテーブル等の平面Ｂ上に載置することができる。すなわち、上述したように、上記蓋体１は、該蓋体１の周縁Ｓと、上記点ａ及びｂにより平面Ｂ上に略鉛直状に起立可能とされている。この為、このように上記蓋板１１が起立した場合には、該蓋板１１の下面は直接平面Ｂ上に接することが無いことから、該蓋板１１を衛生的に用いることができる。また、従来の急須の蓋体を平面Ｂ上に載置した場合に比べ、上記蓋体１の載置に要する面積は小さいものとなる。更に、上記蓋体１を略鉛直状に起立して載置することにより、上記つまみ部１２が該蓋板１１の下方に位置しなくなることから、使用者が該つまみ部１２をつまんで該蓋体１を動かすことも容易となる。そして、使用者が上記胴部２１内に茶の葉及び湯を入れてお茶を入れて飲用し、さらにお茶を飲む為に該胴部２１内に茶の葉及び湯を継ぎ足し或いは交換する際に、再度上記蓋体１が上記急須本体３から取り除かれた場合にも、上記のように該蓋体１は略鉛直状に起立して平面Ｂ上に載置することができる。この場合、従来の急須であれば、蓋体は、湯が入った急須本体の上方に位置することから、該蓋体の下面には該急須本体内の湯より生じた水蒸気が液化した水滴が付着し、該水滴が付着したまま該蓋体を再度該急須本体の開口上に位置させた場合には、該水滴が該急須本体内に落下する可能性があり、好ましくない。しかし、本発明に係る蓋体１を用いた急須２であれば、上記急須本体３の開口上より取り除かれた場合には、上述のように図３に示すように該蓋体１を略鉛直状に起立して上記平面Ｂ上に載置可能であることから、上記蓋板１１の下面に付着した水滴は該平面Ｂ上に流れ落ちる。このため、該蓋体１を再度該開口上に位置させた場合にも、この水滴が再び上記胴部２１内に落下することが無くなる。また、上記蓋体１が起立して載置される際には、上述のように、上記突設部１３上の点ａ，ｂと、上記蓋板１１の周縁Ｓの３つの箇所により上記平面Ｂ上に起立することから、この蓋体１の載置は安定したものとなる。また、上記急須本体３の湯により上記蓋体１は加熱されるが、略鉛直に起立する該蓋体１であれば、該蓋体１の上記つまみ部１２以外の箇所に触れる事無く該つまみ部１２をつまんで該蓋体１を取り除くことができる。
【００１９】
なお、上述の説明では、本発明に係る蓋体１を急須用の蓋に用いる場合を例に説明したが、本発明に係る蓋体１はこのような急須に用いられる場合に限定されるものではない。すなわち、本発明に係る蓋体１は、湯呑み等の飲食用容器又は鍋等の調理用容器に用いられるものであっても良く、或いは、飲食用容器又は調理用容器以外の容器、例えば、バケツに対する蓋体として用いるものであっても良い。また、上記蓋体１では、略鉛直状に起立して載置された際に、上記突設部１３の点ａ，ｂの２の部分と上記蓋板１１の周縁Ｓが平面Ｂに接することにより安定して起立するものであるが、該突設部１３上の１の直線と該蓋板１１の周縁Ｓとが平面Ｂに接して起立するものとしても良く、また、該突設部１３の形状も任意のものであっても良く、この場合にもこの蓋体の平面Ｂ上の載置は安定したものとなる。すなわち、上述の通り、上記蓋体１では突設部１３の形状を瓢箪の形状を模したものであり、この瓢箪がおよそ２つの球体を接合した形状であることから、それぞれの球体上に位置する点ａ，ｂが平面Ｂと接するが、この突設部１３の形状は使用者の好み等に応じ、任意に定められても良く、直方体状等の幾何学的形状であっても良く、或いは、果実等の自然物を模したものとしても良い。なお、上記突設部１３の形状を、例えば直方体状としたときには、該突設部１３は該突設部１３上の１の直線又は１の面と上記平面Ｂとが接するものとなる。
【図面の簡単な説明】
【００２０】
【図１】本発明の実施の形態に係る蓋体を用いた急須を示す斜視図である。
【図２】本発明の実施の形態に係る蓋体を示す側面図である。
【図３】本発明の実施の形態に係る蓋体を起立して載置した状態を示す側面図である。
【符号の説明】
【００２１】
１    蓋体
２    急須
３    急須本体
１１    蓋板
１３    突設部
ａ，ｂ    点
Ｂ    平面
Ｓ    周縁
【図１】
2008007177.tif 000003
【図２】
2008007177.tif 000004
【図３】
2008007177.tif 000005